(57)【要約】【課題】  使い勝手の向上を図る。【解決手段】  ベース板１０とカバー１１を有しベース板に載置された写真１００をカバーによって押さえて保持する写真保持部３と、写真保持部に保持された写真を撮影して画像として取り込む写真撮像部４と、表示面５を有し写真撮像部によって取り込まれた画像を表示面に表示する画像表示部２とを設け、写真保持部に保持された写真を写真撮像部によって撮影して画像として取り込む画像取込モードと表示面に写真撮像部によって取り込まれた画像を表示する画像表示モードとの切替を可能とし、写真保持部と画像表示部は少なくとも一方が他方に対して所定の方向へ移動可能とされ、写真保持部と画像表示部が画像取込モードと画像表示モードにおいて異なる位置関係になるようにした。【選択図】        図２
2011185991.tif 000002
【特許請求の範囲】
【請求項１】
ベース板とカバーを有し前記ベース板に載置された写真を前記カバーによって押さえて保持する写真保持部と、
前記写真保持部に保持された写真を撮影して画像として取り込む写真撮像部と、
表示面を有し前記写真撮像部によって取り込まれた画像を前記表示面に表示する画像表示部とを備え、
前記写真保持部に保持された写真を前記写真撮像部によって撮影して画像として取り込む画像取込モードと前記表示面に前記写真撮像部によって取り込まれた画像を表示する画像表示モードとの切替が可能とされ、
前記写真保持部と前記画像表示部は少なくとも一方が他方に対して所定の方向へ移動可能とされ、
前記写真保持部と前記画像表示部が前記画像取込モードと前記画像表示モードにおいて異なる位置関係になるようにされた
画像表示装置。
【請求項２】
前記画像表示部に前記写真撮像部による撮影時に写真に対する照明光の出射が可能とされた複数の光源が組み込まれ、
前記画像表示部の表示面が第１の領域と第２の領域に分割可能とされ、
前記第１の領域が前記画像取込モードにおいて所定のメッセージを表示するメッセージ表示領域とされ、
前記第２の領域が前記画像取込モードにおいて前記光源から写真に対して出射される照明光の出射面として機能すると共に前記写真撮像部による画像の取込時に取り込まれる画像が表示される画像取込領域とされた
請求項１に記載の画像表示装置。
【請求項３】
前記画像取込モードにおいて前記画像表示部の第２の領域と前記写真保持部に保持された写真とが所定の角度で傾斜された状態で位置され、
前記光源からの写真に対する照明光の出射時に写真の全領域に対する照射輝度が均一になるように前記光源の発光輝度が前記第２の領域における各出射位置と写真の各被照射位置との距離に応じて変化されるようにした
請求項２に記載の画像表示装置。
【請求項４】
前記写真保持部が前記画像表示部の表示面に対向する側の被取込位置と前記画像表示部における表示面の反対側の遮蔽位置との間で移動可能とされ、
前記写真保持部が前記画像取込モードにおいて前記被取込位置に移動され前記画像表示モードにおいて前記遮蔽位置に移動されるようにした
請求項１に記載の画像表示装置。
【請求項５】
前記写真撮像部が前記写真保持部に保持された写真を撮影する撮影位置と前記画像表示部における表示面の反対側の閉塞位置との間で移動可能とされ、
前記写真撮像部が前記画像取込モードにおいて前記撮影位置に移動され前記画像表示モードにおいて前記閉塞位置に移動されるようにした
請求項１に記載の画像表示装置。
【発明の詳細な説明】
【技術分野】
【０００１】
本発明は画像表示装置についての技術分野に関する。詳しくは、ベース板に載置された写真をカバーによって押さえて写真保持部によって保持すると共に写真保持部と画像表示部が画像取込モードと画像表示モードにおいて異なる位置関係になるようにして使い勝手の向上を図る技術分野に関する。
【背景技術】
【０００２】
写真を撮影して取り込んだ画像を画像表示部に表示する画像表示装置がある。このような画像表示装置には、例えば、複数の写真を画像として取り込んで取り込んだ所望の画像を画像表示部に表示することができる所謂電子式写真立て（デジタルフォトフレーム）と称されるものがある。
【０００３】
このような画像表示装置として、例えば、写真を一対のローラーで挟んで送りながら取込を行うようにされたものがある（例えば、特許文献１参照）。
【０００４】
また、画像表示装置には、画像表示部に撮像用画素と表示用画素を周期的に配列することにより、写真の撮影による取込と取り込んだ画像の表示とを一つの画像表示部によって行うものがある（例えば、特許文献２参照）。
【０００５】
【特許文献１】特開平１０−８３１４６号公報
【特許文献２】特開２００５−３０８８２４号公報
【発明の開示】
【発明が解決しようとする課題】
【０００６】
ところが、特許文献１に記載された画像表示装置にあっては、写真を一対のローラーで挟んで送るため、ローラーの回転時にジャミングが発生して写真に破損等が生じる可能性がある。
【０００７】
この場合に、ローラーを用いずに写真を保持する写真保持部を別に設け該写真保持部に保持された写真を取り込むことが考えられるが、取り込んだ画像を表示するときには写真保持部は必要のない部分になる。
【０００８】
このように写真の破損等のおそれがあったり、画像の表示時における写真保持部の存在位置によっては、画像表示装置の使い勝手を損なうことになる。
【０００９】
そこで、本発明画像表示装置は、上記した問題点を克服し、使い勝手の向上を図ることを課題とする。
【課題を解決するための手段】
【００１０】
画像表示装置は、上記した課題を解決するために、ベース板とカバーを有し前記ベース板に載置された写真を前記カバーによって押さえて保持する写真保持部と、前記写真保持部に保持された写真を撮影して画像として取り込む写真撮像部と、表示面を有し前記写真撮像部によって取り込まれた画像を前記表示面に表示する画像表示部とを備え、前記写真保持部に保持された写真を前記写真撮像部によって撮影して画像として取り込む画像取込モードと前記表示面に前記写真撮像部によって取り込まれた画像を表示する画像表示モードとの切替が可能とされ、前記写真保持部と前記画像表示部は少なくとも一方が他方に対して所定の方向へ移動可能とされ、前記写真保持部と前記画像表示部が前記画像取込モードと前記画像表示モードにおいて異なる位置関係になるようにされたものである。
【００１１】
従って、カバーに押さえられた状態で写真保持部に写真が保持されると共に切り替えられるモードに応じて写真保持部と画像表示部の少なくとも一方が他方に対して移動される。
【００１２】
上記した画像表示装置においては、前記画像表示部に前記写真撮像部による撮影時に写真に対する照明光の出射が可能とされた複数の光源が組み込まれ、前記画像表示部の表示面が第１の領域と第２の領域に分割可能とされ、前記第１の領域が前記画像取込モードにおいて所定のメッセージを表示するメッセージ表示領域とされ、前記第２の領域が前記画像取込モードにおいて前記光源から写真に対して出射される照明光の出射面として機能すると共に前記写真撮像部による画像の取込時に取り込まれる画像が表示される画像取込領域とされることが望ましい。
【００１３】
表示面の第１の領域がメッセージ表示領域とされ第２の領域が画像取込領域とされることにより、画像取込モードにおいて表示面に取込に関するメッセージと取り込まれる画像とが表示される。
【００１４】
上記した画像表示装置においては、前記画像取込モードにおいて前記画像表示部の第２の領域と前記写真保持部に保持された写真とが所定の角度で傾斜された状態で位置され、前記光源からの写真に対する照明光の出射時に写真の全領域に対する照射輝度が均一になるように前記光源の発光輝度が前記第２の領域における各出射位置と写真の各被照射位置との距離に応じて変化されるようにすることが望ましい。
【００１５】
写真の全領域に対する照射輝度が均一になるように光源の発光輝度が第２の領域における各出射位置と写真の各被照射位置との距離に応じて変化されるようにすることにより、写真を取り込んだ画像に不自然な明暗が発生しない。
【００１６】
上記した画像表示装置においては、前記写真保持部が前記画像表示部の表示面に対向する側の被取込位置と前記画像表示部における表示面の反対側の遮蔽位置との間で移動可能とされ、前記写真保持部が前記画像取込モードにおいて前記被取込位置に移動され前記画像表示モードにおいて前記遮蔽位置に移動されるようにすることが望ましい。
【００１７】
写真保持部が画像取込モードにおいて被取込位置に移動され画像表示モードにおいて遮蔽位置に移動されるようにすることにより、画像表示モードにおいて写真保持部が画像表示部によって遮蔽される側に位置される。
【００１８】
上記した画像表示装置においては、前記写真撮像部が前記写真保持部に保持された写真を撮影する撮影位置と前記画像表示部における表示面の反対側の閉塞位置との間で移動可能とされ、前記写真撮像部が前記画像取込モードにおいて前記撮影位置に移動され前記画像表示モードにおいて前記閉塞位置に移動されるようにすることが望ましい。
【００１９】
写真撮像部が画像取込モードにおいて撮影位置に移動され画像表示モードにおいて閉塞位置に移動されるようにすることにより、画像表示モードにおいて写真撮像部が画像表示部によって閉塞される側に位置される。
【発明の効果】
【００２０】
本発明画像表示装置は、ベース板とカバーを有し前記ベース板に載置された写真を前記カバーによって押さえて保持する写真保持部と、前記写真保持部に保持された写真を撮影して画像として取り込む写真撮像部と、表示面を有し前記写真撮像部によって取り込まれた画像を前記表示面に表示する画像表示部とを備え、前記写真保持部に保持された写真を前記写真撮像部によって撮影して画像として取り込む画像取込モードと前記表示面に前記写真撮像部によって取り込まれた画像を表示する画像表示モードとの切替が可能とされ、前記写真保持部と前記画像表示部は少なくとも一方が他方に対して所定の方向へ移動可能とされ、前記写真保持部と前記画像表示部が前記画像取込モードと前記画像表示モードにおいて異なる位置関係になるようにされている。
【００２１】
従って、ベース板に載置された写真をカバーによって押さえて保持するため、写真を破損することがなく写真撮像部によって撮影した写真を良好な画像として取り込むことができ、使い勝手の向上を図ることができる。
【００２２】
また、写真保持部と画像表示部が画像取込モードと画像表示モードにおいて異なる位置関係になるようにされているため、画像表示部と写真保持部がモードに応じて必要な位置に保持され、使い勝手の向上を図ることができる。
【００２３】
請求項２に記載した発明にあっては、前記画像表示部に前記写真撮像部による撮影時に写真に対する照明光の出射が可能とされた複数の光源が組み込まれ、前記画像表示部の表示面が第１の領域と第２の領域に分割可能とされ、前記第１の領域が前記画像取込モードにおいて所定のメッセージを表示するメッセージ表示領域とされ、前記第２の領域が前記画像取込モードにおいて前記光源から写真に対して出射される照明光の出射面として機能すると共に前記写真撮像部による画像の取込時に取り込まれる画像が表示される画像取込領域とされている。
【００２４】
従って、写真撮像部による写真の撮影による画像の取込時に、第１の領域に表示されるメッセージを確認することができ、画像の取込動作を迅速かつ確実に行うことができ、画像表示装置の使い勝手の向上を図ることができる。
【００２５】
請求項３に記載した発明にあっては、前記画像取込モードにおいて前記画像表示部の第２の領域と前記写真保持部に保持された写真とが所定の角度で傾斜された状態で位置され、前記光源からの写真に対する照明光の出射時に写真の全領域に対する照射輝度が均一になるように前記光源の発光輝度が前記第２の領域における各出射位置と写真の各被照射位置との距離に応じて変化されるようにしている。
【００２６】
従って、写真撮像部によって写真が撮影されるときに、写真に不自然な明暗が発生することがなく、取り込まれた画像の全領域において十分な輝度が確保され、写真を良好な画像として取り込むことができると共に全領域において輝度が均一な画像を画像表示部の表示面に表示することができる。
【００２７】
請求項４に記載した発明にあっては、前記写真保持部が前記画像表示部の表示面に対向する側の被取込位置と前記画像表示部における表示面の反対側の遮蔽位置との間で移動可能とされ、前記写真保持部が前記画像取込モードにおいて前記被取込位置に移動され前記画像表示モードにおいて前記遮蔽位置に移動されるようにしている。
【００２８】
従って、使用者が画像表示部の表示面に表示された画像を視認するときに写真保持部が目障りになることがなく、画像表示装置の使い勝手の向上を図ることができる。
【００２９】
請求項５に記載した発明にあっては、前記写真撮像部が前記写真保持部に保持された写真を撮影する撮影位置と前記画像表示部における表示面の反対側の閉塞位置との間で移動可能とされ、前記写真撮像部が前記画像取込モードにおいて前記撮影位置に移動され前記画像表示モードにおいて前記閉塞位置に移動されるようにしている。
【００３０】
従って、使用者が画像表示部の表示面に表示された画像を視認するときに写真撮像部が目障りになることがなく、画像表示装置の使い勝手の向上を図ることができる。
【発明を実施するための最良の形態】
【００３１】
以下に、本発明の実施の形態を添付図面に従って説明する。
【００３２】
以下に示した実施の形態は、本発明画像表示装置を写真を撮影によって画像として取り込んで表示する所謂電子式写真立てに適用したものである。
【００３３】
尚、本発明の適用範囲は電子式写真立てに限られることはない。本発明は、写真を取り込んで画像として表示する各種の画像表示装置に広く適用することができる。
【００３４】
以下の説明にあっては、画像表示部の表示面が向く方向を前方として前後上下左右の方向を示すものとする。
【００３５】
尚、以下に示す前後上下左右の方向は説明の便宜上のものであり、本発明の実施に関しては、これらの方向に限定されることはない。
【００３６】
［全体構成及び動作（第１の実施の形態）］
先ず、第１の実施の形態に係る画像表示装置１について説明する（図１乃至図８参照）。
【００３７】
画像表示装置（電子式写真立て）１は、図１及び図２に示すように、画像表示部２と写真保持部３と写真撮像部４を備えている。
【００３８】
画像表示装置１においては、写真保持部３に保持された写真を写真撮像部４によって撮影して画像として取り込む画像取込モードと画像表示部２に写真撮像部４によって取り込まれた画像を表示する画像表示モードとの切替を行うことができる。
【００３９】
画像表示部２は矩形の略平板状に形成され、前面に表示面５を有している（図３参照）。表示面５は画像表示部２の前面における外周部を除く部分に形成され、例えば、上端部が第１の領域５ａとされ上端部以外の部分が第２の領域５ｂとされている。尚、第１の領域は表示面５の上端部に限られることはなく、表示面５の一部であれば何れの部分であってもよい。
【００４０】
第１の領域５ａは所定のメッセージを表示するメッセージ表示領域とされている。第２の領域５ｂは画像取込モードにおいて写真に対して出射される照明光の出射面として機能すると共に写真撮像部４による画像の取込時に取り込まれる画像が表示される画像取込領域とされている。
【００４１】
また、表示面５には全面に取り込まれた画像が表示可能とされている。
【００４２】
画像表示部２の背面には後方に開口された配置用凹部２ａが形成されている（図４参照）。画像表示部２の下端部には下方に開口された逃げ用切欠２ｂが形成されている。
【００４３】
画像表示部２には左右に離隔してそれぞれガイド突部６、６が設けられている（図３及び図４参照）。ガイド突部６、６は逃げ用切欠２ｂの内部に位置されている。
【００４４】
画像表示部２の背面には操作釦７、７、７が配置されている（図４参照）。操作釦７、７、７としては、例えば、メニュー釦、十字釦、決定釦が設けられている。これらの操作釦７、７、７によりモードの切替、画像の表示状態の変更、スライドショーの実行、写真の画像としての取込動作等を行うことが可能である。
【００４５】
また、画像表示部２にリモコン受光部を設けることにより、リモコン操作によって操作釦７、７、７を操作したときに行われる動作と同様の動作を行うことが可能である。
【００４６】
画像表示部２の背面にはカードスロット８が設けられている。カードスロット８にはカード型の各種の記録媒体が挿入され、例えば、撮影によって取り込まれた画像を記録媒体に記録することが可能とされている。
【００４７】
尚、画像表示部２にメモリーを内蔵してもよく、この場合にはメモリーに画像を記録して保存することが可能である。
【００４８】
また、画像表示部２にＵＳＢ（Universal Serial Bus）等の接続端子を設け、パーソナルコンピューター等の外部機器を接続端子に接続して外部機器との間で画像の授受を行うことも可能である。
【００４９】
画像表示部２の内部には図示しない複数の光源が配置され、該光源から出射された光は表示面５に画像や文字が表示されるときのバックライト又は写真の撮影時に写真に対して照射される照明光として機能する。
【００５０】
画像表示部２の下端部における背面側の部分にはスタンド９が取り付けられている（図１、図２及び図４参照）。スタンド９は、例えば、前後に延びる軸状に形成され、前端部が画像表示部２に取り付けられている。
【００５１】
画像表示部２はスタンド９によって姿勢が保持され、上端部が下端部より稍後方に位置するように傾斜した状態とされている（図１及び図２参照）。
【００５２】
写真保持部３は何れも平板状に形成されたベース板１０と透明なカバー１１とを有している。写真保持部３には写真１００がベース板１０に載置されカバー１１によって押さえられて保持される。
【００５３】
ベース板１０の左右両側面には、その長手方向に延びる被ガイド溝１０ａ、１０ａがそれぞれ形成されている。
【００５４】
カバー１１は、例えば、ガラスやアクリル等の透明な材料によって形成されている。カバー１１は、写真１００の撮影時に外光や画像表示部２の光源から出射された光の映り込みを防止するために無反射処理が施されていることが望ましい。
【００５５】
また、カバー１１の写真１００に接する面は、写真１００との接触圧のムラによる干渉縞等が発生しないように微細な凹凸処理等が施されていることが好ましい。
【００５６】
さらに、カバー１１の大きさは、図５に示すように、画像の取込が可能な取込可能領域３ａ以上であればよく、カバー１１を取込可能領域３ａより大きくした場合にはカバー１１又はベース板１０に取込可能領域３ａを示す表示（枠）が付されていることが好ましい。
【００５７】
写真保持部３は、図１及び図２に示すように、被ガイド溝１０ａ、１０ａにそれぞれガイド突部６、６が摺動自在に係合され、画像表示部２に移動自在かつガイド突部６、６を支点として回動自在に支持されている。写真保持部３は画像表示部２の背面側の遮蔽位置（図１参照）と画像表示部２の表示面５に対向する側の被取込位置（図２参照）との間で移動可能とされている。
【００５８】
写真撮像部４は基部１２と該基部１２に保持された撮影レンズ１３とを有し、画像表示部２の上端部に回動自在に支持されている。写真撮像部４は閉塞位置と撮影位置の間で回動可能とされ、閉塞位置は画像表示部２の背面側に存在し該画像表示部２によって前方から閉塞された位置であり、撮影位置は撮影レンズ１３によって写真保持部３に保持された写真１００を撮影することが可能な画像表示部２の前側の位置である。
【００５９】
画像表示装置１にあっては、画像取込モードにおいて写真保持部３が被取込位置に移動され、画像表示モードにおいて写真保持部３が遮蔽位置に移動される。また、画像取込モードにおいて写真撮像部４が撮影位置に移動され、画像表示モードにおいて写真撮像部４が閉塞位置に移動される。
【００６０】
写真保持部３は画像表示部２に形成された配置用凹部２ａに挿入されることにより遮蔽位置に保持される（図１参照）。遮蔽位置においてはカバー１１がベース板１０より前側に位置されている。
【００６１】
画像表示装置１が机等の基台２００に載置されている状態（図１参照）において、写真保持部３が前端部を支点として画像表示部２に対して遮蔽位置から回動されると、写真保持部３は配置用凹部２ａから引き出され水平な状態になるまで移動される（図６参照）。
【００６２】
次いで、写真保持部３が画像表示部２の逃げ用切欠２ｂをスライドされて前方へ移動され略全体が画像表示部２の前方において水平な状態で位置される（図７参照）。このときカバー１１をベース板１０に対して開放することによりベース板１０に写真１００を載置することが可能である。写真１００はカバー１１が閉塞されることにより該カバー１１に押さえられて写真保持部３に保持される。
【００６３】
写真１００が写真保持部３に保持された状態において、写真保持部３が後端部を支点として画像表示部２に対して回動されると、写真保持部３は傾斜され被取込位置に移動される（図２参照）。被取込位置においては、写真保持部３は上端部が下端部より稍前方に位置するように傾斜した状態とされる。
【００６４】
尚、画像表示装置１には、写真保持部３の傾斜状態を一定の角度に保持するための保持機構及びロック機構が設けられている。
【００６５】
写真保持部３が被取込位置に移動されたときには写真撮像部４が画像表示部２に対して回動され閉塞位置から撮影位置まで移動される。
【００６６】
上記のように、写真保持部３が被取込位置に移動され写真撮像部４が撮影位置に移動されると、写真撮像部４によって写真保持部３に保持された写真１００が撮影されて画像として取り込まれる。
【００６７】
写真保持部３が被取込位置に移動された状態においては、上記したように、写真保持部３は上端部が下端部より稍前方に位置するように傾斜した状態とされ、画像表示部２は上端部が下端部より稍後方に位置するように傾斜した状態とされている（図８参照）。従って、画像表示部２の表示面５と写真１００が平行な状態にされておらず、光源から照明光が出射されたときに表示面５における照明光の各出射位置Ｐ１、Ｐ２、Ｐ３、・・・とその照明光が照射される写真１００の各位置Ｑ１、Ｑ２、Ｑ３、・・・との距離が写真１００の部分によって異なる。
【００６８】
そこで、画像表示装置１にあっては、画像取込モードにおいて光源から写真１００に対して出射される照明光の発光輝度が表示面５の第２の領域５ｂの各出射位置Ｐ１、Ｐ２、Ｐ３、・・・と写真１００の各被照射位置Ｑ１、Ｑ２、Ｑ３、・・・との距離に応じて変化されるようにし、写真１００の全領域に対する照射輝度が均一になるようにしている。
【００６９】
従って、写真撮像部４によって写真１００が撮影されるときに、写真１００に不自然な明暗が発生することがなく、取り込まれた画像の全領域において十分な輝度が確保され、写真１００を良好な画像として取り込むことができると共に全領域において輝度が均一な画像を画像表示部２の表示面５に表示することができる。
【００７０】
写真撮像部４による写真１００の撮影が行われるときには、撮影レンズ１３から写真１００までの距離が写真１００の下方へ行くに従って大きくなるため、取り込まれた画像は下辺が上辺より短い台形形状になってしまう。そこで、画像表示装置１にあっては、このような撮影上の不具合を解消するために、取り込んだ画像を長方形状に補正して画像表示部２の表示面５における第２の領域５ｂに表示するようにしている。
【００７１】
写真１００の撮影が終了すると、写真保持部３は遮蔽位置から被取込位置まで移動された動作と反対の動作によって被取込位置から遮蔽位置まで移動され、画像表示部２の配置用凹部２ａに収納される。写真保持部３が被取込位置から遮蔽位置まで移動されたときには、写真撮像部４も撮影位置から閉塞位置まで移動され、画像表示モードに切り替えられる。
【００７２】
画像表示モードにおいては、写真保持部３が遮蔽位置に移動され写真撮像部４が閉塞位置に移動されるため、使用者が画像表示部２の表示面５に表示された画像を視認するときに写真保持部３と写真撮像部４が目障りになることがなく、画像表示装置１の使い勝手の向上を図ることができる。
【００７３】
尚、画像表示装置１にあっては、例えば、画像表示部２の上端部に写真撮像部４が、常に、埋め込まれた状態で配置されるように構成することも可能である。このような構成にすることにより、写真撮像部４を画像表示部２に対して回動させる機構を必要とせず、また、画像表示モードにおいても写真撮像部４が目障りにならないようにすることができる。
【００７４】
上記した写真保持部３の遮蔽位置と被取込位置の間の動作及び写真撮像部４の閉塞位置と撮影位置の間の動作は、例えば、駆動モーター等の駆動力によって動作される移動機構を設けることにより行われるようにしてもよく、また、使用者の手動によって行われるようにしてもよい。
【００７５】
［全体構成及び動作（第２の実施の形態）］
次に、第２の実施の形態に係る画像表示装置１Ａについて説明する（図９乃至図１１参照）。
【００７６】
以下に示す第２の実施の形態に係る画像表示装置１Ａについては、上記した画像表示装置１と比較して写真保持部が画像表示部の下端部に回動自在にのみ支持されていること及び写真保持部に反射部材が配置されていることが相違するため、画像表示装置１と同様の部分については符号のみ示すことにより詳細な説明を省略する。
【００７７】
画像表示装置１Ａは、図９及び図１０に示すように、画像表示部２Ａと写真保持部３Ａと写真撮像部４を備えている。
【００７８】
画像表示部２Ａの下端部には下方に開口された逃げ用切欠２ｂが形成されている。画像表示部２Ａには配置用凹部２ａが形成されていない。また、画像表示部２Ａにはスタンド９も取り付けられていない。
【００７９】
画像表示部２Ａは下端部を支点として写真保持部３Ａに対して回動可能とされ、上端部が下端部より後方に位置された状態で傾斜される表示位置（図９参照）と上端部が下端部より前方に位置された状態で傾斜される画像取込位置（図１０参照）との間で回動される。
【００８０】
画像表示部２Ａは写真保持部３Ａに支えられ表示位置又は画像取込位置において姿勢が保持される。
【００８１】
写真保持部３Ａはベース板１０Ａとカバー１１を有している。写真保持部３Ａは一端部が画像表示部２Ａの下端部に回動自在に支持されている。ベース板１０Ａには被ガイド溝１０ａ、１０ａは形成されていない。
【００８２】
写真保持部３Ａにはベース板１０Ａとカバー１１の間に反射部１４が配置されている。反射部１４は写真保持部３Ａにおける画像表示部２Ａとの連結部分と反対側の端部に配置されている。反射部１４としては、例えば、反射シールをベース板１０Ａ又はカバー１１に貼付することにより形成されている。
【００８３】
写真保持部３Ａは画像表示部２の背面側の遮蔽位置（図９参照）と画像表示部２Ａの表示面５に対向する側の被取込位置（図１０参照）との間で回動可能とされている。
【００８４】
画像表示装置１Ａにおいては、画像取込モードにおいて写真保持部３Ａが被取込位置に移動され、画像表示モードにおいて写真保持部３Ａが遮蔽位置に移動される。被取込位置はベース板１０Ａが基台２００に接した状態とされる位置であり、遮蔽位置はカバー１１が基台２００に接した状態とされる位置である。従って、画像表示装置１Ａにおいては、写真保持部３Ａが基台２００に載置されることにより遮蔽位置又は被取込位置に保持される。
【００８５】
写真保持部３Ａが被取込位置に保持されているときには反射部１４が前端側に位置される。
【００８６】
画像表示装置１Ａは、一旦、基台２００から持ち上げられて写真保持部３Ａが画像表示部２Ａに対して遮蔽位置と被取込位置の間で回動される。写真保持部３Ａが画像表示部２Ａに対して回動されるときには、写真保持部３Ａの一部が画像表示部２Ａの逃げ用切欠２ｂの内部を移動され画像表示部２Ａに対する写真保持部３Ａの接触が回避される。
【００８７】
画像表示部２Ａが表示位置にあり写真保持部３Ａが遮蔽位置にあるときには写真撮像部４は閉塞位置に保持され、画像表示部２Ａが画像取込位置にあり写真保持部３Ａが被取込位置にあるときには写真撮像部４は撮影位置に保持される。
【００８８】
写真保持部３Ａが被取込位置に移動された状態においては、上記したように、写真保持部３Ａは水平な状態とされ、画像表示部２Ａは上端部が下端部より稍前方に位置するように傾斜した状態で画像取込位置に保持されている（図１０参照）。従って、画像表示部２Ａの表示面５と写真１００が平行な状態にされておらず、光源から照明光が出射されたときに表示面５における照明光の各出射位置とその照明光が照射される写真１００の各位置との距離が写真１００の部分によって異なる。
【００８９】
そこで、画像表示装置１Ａにあっては、画像取込モードにおいて光源から写真１００に対して出射される照明光の発光輝度が表示面５の第２の領域５ｂの各出射位置と写真１００の各被照射位置との距離に応じて変化されるようにし、写真１００の全領域に対する照射輝度が均一になるようにしている。
【００９０】
従って、写真撮像部４によって写真１００が撮影されるときに、写真１００に不自然な明暗が発生することがなく、取り込まれた画像の全領域において十分な輝度が確保され、写真１００を良好な画像として取り込むことができると共に全領域において輝度が均一な画像を画像表示部２Ａの表示面５に表示することができる。
【００９１】
画像表示装置１Ａにおいては、画像表示部２Ａが画像取込位置に保持されたときに上端部が下端部より稍前方に位置するように傾斜した状態とされる。また、写真撮像部４が画像表示部２の上端部における前側に位置される。従って、表示面５の第１の領域５ａに表示されるメッセージが視認し難くなるおそれがある。
【００９２】
そこで、画像表示装置１Ａにあっては、表示面５の第１の領域５ａに表示されるメッセージが写真保持部３Ａに配置された反射部１４に反射されて表示されるようにしている（図１１参照）。このとき、予め、メッセージが第１の領域５ａに反転された状態で表示されるように制御されており、反射部１４には第１の領域５ａに表示されるメッセージが反転して正しい向きで映し出される。
【００９３】
このように画像表示装置１Ａにあっては、反射部１４を設けて第１の領域５ａに表示されるメッセージが反射部１４に表示されるため、メッセージの視認性の向上を図ることができる。
【００９４】
また、メッセージが第１の領域５ａに反転された状態で表示され、反射部１４にはメッセージが正しい向きで表示されるため、メッセージの内容を正確に認識することができる。
【００９５】
画像表示装置１Ａにおいても画像表示装置１と同様に、上記した写真保持部３Ａの遮蔽位置と被取込位置の間の動作及び写真撮像部４の閉塞位置と撮影位置の間の動作は、例えば、駆動モーター等の駆動力を用いて行われるようにしてもよく、使用者の手動によって行われるようにしてもよい。
【００９６】
［全体構成及び動作（第３の実施の形態）］
次に、第３の実施の形態に係る画像表示装置１Ｂについて説明する（図１２乃至図１４参照）。
【００９７】
以下に示す第３の実施の形態に係る画像表示装置１Ｂについては、上記した画像表示装置１と比較して画像表示部が下端部を支点として写真保持部に回動自在かつスライド自在に支持されていること及び写真保持部に反射部材が配置されていることが相違するため、画像表示装置１と同様の部分については符号のみ示すことにより詳細な説明を省略する。
【００９８】
画像表示装置１Ｂは、図１２乃至図１４に示すように、画像表示部２Ｂと写真保持部３Ｂと写真撮像部４を備えている。
【００９９】
画像表示部２Ｂの下端部には下方に開口された逃げ用切欠２ｂが形成されている。画像表示部２Ｂには配置用凹部２ａが形成されていない。また、画像表示部２Ｂにはスタンド９も取り付けられていない。
【０１００】
画像表示部２Ｂには左右に離隔してそれぞれ被ガイド突部１５、１５が設けられている。被ガイド突部１５、１５は逃げ用切欠２ｂにおいて互いに近付く方向へ突出して設けられている。
【０１０１】
画像表示部２Ｂは被ガイド突部１５、１５がそれぞれ写真保持部３Ｂの被ガイド溝１０ａ、１０ａに摺動自在に係合され、写真保持部３Ｂに移動自在かつ被ガイド突部１５、１５を支点として回動自在に支持されている。
【０１０２】
画像表示部２Ｂは上端部が下端部より後方に位置された状態で傾斜される表示位置（図１２及び図１３参照）と上端部が下端部より前方に位置された状態で傾斜される画像取込位置（図１４参照）との間でスライドかつ回動される。
【０１０３】
画像表示部２Ｂは写真保持部３Ｂに支えられ表示位置又は画像取込位置において姿勢が保持される。
【０１０４】
写真保持部３Ｂはベース板１０とカバー１１を有している。
【０１０５】
写真保持部３Ｂにはベース板１０とカバー１１の間に反射部１４が配置されている。反射部１４は写真保持部３Ｂの前端部に配置されている。
【０１０６】
写真保持部３Ｂは画像表示部２Ｂが表示位置にあるときに画像表示部２Ｂの背面側に位置され画像表示部２Ｂが画像取込位置にあるときに画像表示部２Ｂの表示面５に対向するように位置される。即ち、写真保持部３Ｂは画像表示部２Ｂに対して移動されないが、画像表示部２Ｂの位置に応じて画像表示部２Ｂに対する相対的な位置が変化され被取込位置又は遮蔽位置にある状態とされる。
【０１０７】
画像表示装置１Ｂにおいては、画像取込モードにおいて写真保持部３Ｂが被取込位置にあり、画像表示モードにおいて写真保持部３Ｂが遮蔽位置にある。被取込位置及び遮蔽位置はベース板１０が基台２００に接した状態とされる位置である。
【０１０８】
画像表示装置１Ｂにおいては、画像表示部２Ｂが写真保持部３Ｂに対して回動及びスライドされるときに、写真保持部３Ｂの一部が画像表示部２Ｂの逃げ用切欠２ｂの内部を相対的に移動され画像表示部２Ｂに対して写真保持部３Ｂの接触が回避される。
【０１０９】
画像表示部２Ｂが表示位置にあり写真保持部３Ｂが遮蔽位置にあるときには写真撮像部４は閉塞位置に保持され、画像表示部２Ｂが画像取込位置にあり写真保持部３Ｂが被取込位置にあるときには写真撮像部４は撮影位置に保持される。
【０１１０】
画像表示部２Ｂが画像取込位置に移動された状態においては、上記したように、写真保持部３Ｂは水平な状態とされ、画像表示部２Ｂは上端部が下端部より稍前方に位置するように傾斜した状態で保持されている（図１４参照）。従って、画像表示部２Ｂの表示面５と写真１００が平行な状態にされておらず、光源から照明光が出射されたときに表示面５における照明光の各出射位置とその照明光が照射される写真１００の各位置との距離が写真１００の部分によって異なる。
【０１１１】
そこで、画像表示装置１Ｂにあっては、画像取込モードにおいて光源から写真１００に対して出射される照明光の発光輝度が表示面５の第２の領域５ｂの各出射位置と写真１００の各被照射位置との距離に応じて変化されるようにし、写真１００の全領域に対する照射輝度が均一になるようにしている。
【０１１２】
従って、写真撮像部４によって写真１００が撮影されるときに、写真１００に不自然な明暗が発生することがなく、取り込まれた画像の全領域において十分な輝度が確保され、写真１００を良好な画像として取り込むことができると共に全領域において輝度が均一な画像を画像表示部２Ｂの表示面５に表示することができる。
【０１１３】
画像表示装置１Ａにおいては、画像表示部２Ａが画像取込位置に保持されたときに上端部が下端部より稍前方に位置するように傾斜した状態とされる。また、写真撮像部４が画像表示部２の上端部における前側に位置される。従って、表示面５の第１の領域５ａに表示されるメッセージが視認し難くなるおそれがある。
【０１１４】
そこで、画像表示装置１Ｂにあっては、表示面５の第１の領域５ａに表示されるメッセージが写真保持部３Ａに配置された反射部１４に反射されて表示されるようにしている。このとき、予め、メッセージが第１の領域５ａに反転された状態で表示されるように制御されており、反射部１４には第１の領域５ａに表示されるメッセージが反転して正しい向きで映し出される。
【０１１５】
このように画像表示装置１Ｂにあっては、反射部１４を設けて第１の領域５ａに表示されるメッセージが反射部１４に表示されるため、メッセージの視認性の向上を図ることができる。
【０１１６】
また、メッセージが第１の領域５ａに反転された状態で表示され、反射部１４にはメッセージが正しい向きで表示されるため、メッセージの内容を正確に認識することができる。
【０１１７】
画像表示装置１Ｂにおいても画像表示装置１と同様に、上記した画像表示部２Ｂの画像取込位置と画像表示位置の間の動作及び写真撮像部４の閉塞位置と撮影位置の間の動作は、例えば、駆動モーター等の駆動力を用いて行われるようにしてもよく、使用者の手動によって行われるようにしてもよい。
【０１１８】
尚、画像表示装置１Ｂにあっては、写真保持部３Ｂが基台２００に載置された状態において、画像表示部２Ｂをスライド及び回動させることにより画像表示部２Ｂと写真保持部３Ｂが所定の位置にある状態とすることができ、使い勝手の向上を図ることができる。
【０１１９】
［画像表示装置の内部構成等］
次に、画像表示装置１、１Ａ、１Ｂの内部構成等について説明する（図１５参照）。
【０１２０】
画像表示装置１（１Ａ、１Ｂ）には制御部２０が設けられている。制御部２０は、例えば、マイクロコンピューターであり、中央演算処理装置（ＣＰＵ）を有している。
【０１２１】
制御部２０は画像表示装置１（１Ａ、１Ｂ）に設けられた所定の各部である充電回路２１、バッテリー（充電電池）２２、入力部２３、ドライブ２４、メモリー２５、撮像部２６、受光部２７及び表示部２８等を制御する。制御部２０は、例えば、表示部２８に対する画像の表示制御、バックライトの発光制御、入力部２３と後述するリモートコントロール装置から入力された指示信号に対する制御、制御回路２１の制御等を行う。
【０１２２】
充電回路２１にはバッテリー２２が接続されている。充電回路２１は変圧回路及び過充電防止回路を含むものであり、外部電源３００に接続される。従って、バッテリー２２に外部電源３００から充電回路２１を介して電圧が供給されて充電が行われる。
【０１２３】
入力部２３は各種の操作部であり、画像表示部２（２Ａ、２Ｂ）の背面に配置された操作釦７、７、７が該当する。
【０１２４】
ドライブ２４はパーソナルコンピューター等の外部機器４００や画像表示部２（２Ａ、２Ｂ）の背面に設けられたカードスロット８に装着されるカード型の各種の記録媒体５００に対してデーターの読み書きや読み出し等を行う機能を有している。
【０１２５】
メモリー２５はＲＡＭ（Random Access Memory）やＲＯＭ（Read Only Memory）等によって構成され、制御部２０によって実行されるプログラムの格納領域やプログラムの実行領域として機能する他、制御部２０が行う処理に適用されるパラメーター等の記憶領域としても機能する。また、メモリー２５は撮像部２６によって撮影されて取り込まれた画像を保存する記録領域としても機能する。撮像部２６としては写真撮像部４が該当する。
【０１２６】
受光部２７はリモートコントロール装置６００を操作したときの赤外光を受けて制御部２０に操作信号を送出する。
【０１２７】
表示部２８には撮像部２６によって撮影されて取り込まれた画像やメモリー２５から読み出されたデーターが表示される。表示部２８としては表示面５が該当する。
【０１２８】
［画像表示装置における処理動作］
以下に、画像表示装置１、１Ａ、１Ｂにおける処理動作について説明する（図１６乃至図２６参照）。
【０１２９】
尚、処理動作は画像表示装置１、１Ａ、１Ｂにおいて同様であるため、以下の説明においては、例として、画像表示装置１において処理動作が行われた場合について図１６及び図１７のフローチャート図を参照して説明する。
【０１３０】
（Ｓ１）写真保持部３と写真撮像部４の位置を確認する。写真保持部３が遮蔽位置にあり写真撮像部４が閉塞位置にあることが確認された場合には画像表示モードが設定され、（Ｓ２）に移行する。一方、写真保持部３が被取込位置にあり写真撮像部４が撮影位置にあることが確認された場合には画像取込モードが設定され、（Ｓ４）に移行する。
【０１３１】
写真保持部３が遮蔽位置にあり写真撮像部４が撮影位置にあることが確認された場合又は写真保持部３が被取込位置にあり写真撮像部４が閉塞位置にあることが確認された場合には、写真保持部３又は写真撮像部４をそれぞれ所定の位置に移動させることにより画像表示モード又は画像取込モードが設定される。
【０１３２】
尚、写真保持部３と写真撮像部４の位置の確認はそれぞれに位置検出センサーを搭載し制御部２０によって写真保持部３と写真撮像部４の位置を検出することによって行うことが可能である。また、画像表示装置１に写真保持部３と写真撮像部４の各位置への移動動作を行う移動機構を設け、使用者が画像表示モード又は画像取込モードの選択操作を行ったときに写真保持部３と写真撮像部４が移動機構によって自動的に所定の各位置に移動されるようにすることも可能である。
【０１３３】
（Ｓ２）制御部２０によってドライブ２４又はメモリー２５に表示可能な画像が入力されているか否かが検出される。ドライブ２４又はメモリー２５に表示可能な画像が入力されていることが検出された場合には（Ｓ３）に移行し、ドライブ２４又はメモリー２５に表示可能な画像が入力されていることが検出されなかった場合には（Ｓ１）に移行する。
【０１３４】
（Ｓ３）画像表示部２に対する画像の表示状態を使用者が選択する。画像表示装置１においては、例えば、１枚の画像を表示面５の全画面において表示させる全画面表示、表示面５に複数の画像を組み合わせて表示させる分割画面表示、スライドショーとして表示面５に複数の画像を所定の時間毎に自動的に切り替えて表示させる切替表示を行うことが可能とされている。使用者はこれらの表示状態を選択する。画像の表示状態を選択して画像を表示し、画像の表示が終了することにより処理動作が終了する。
【０１３５】
（Ｓ４）取込対象となる写真１００が写真保持部３に保持されているか否かを確認する。写真１００が写真保持部３に保持されていることが確認された場合には（Ｓ５）に移行し、写真１００が写真保持部３に保持されていることが確認されなかった場合には（Ｓ１）に移行する。
【０１３６】
尚、画像表示装置１に写真１００が写真保持部３に保持されているか否かを検出可能なセンサーを設けることにより、センサーの検出結果に応じて自動的に（Ｓ５）又は（Ｓ１）に移行するように構成することも可能である。
【０１３７】
（Ｓ５）取込対象となる写真１００の写真保持部３に対する位置を確認する（図１８参照）。このとき表示面５の第１の領域５ａに写真１００の位置確認を促すメッセージが表示される。
【０１３８】
尚、図１８以降の各図において、梨字が付された部分は光源から光が出射されていない部分を示している。
【０１３９】
使用者は写真１００が写真保持部３の取込可能領域３ａの範囲内に存在するか否かを確認する。写真１００が取込可能領域３ａの範囲内に存在することが確認された場合には表示面５の第１の領域５ａに表示された「ＯＫ」を操作し、写真１００が取込可能領域３ａの範囲内に存在することが確認されなかった場合には表示面５の第１の領域５ａに表示された「キャンセル」を操作する。
【０１４０】
「ＯＫ」が操作された場合には（Ｓ６）に移行し、「キャンセル」が操作された場合には（Ｓ１）に移行する。
【０１４１】
（Ｓ６）画像表示装置１の近くに外部の強い光源が存在するか否かを確認する（図１９参照）。このとき表示面５の第１の領域５ａに強い光源の存在の確認を促すメッセージが表示される。
【０１４２】
使用者は画像表示装置１の近くに太陽光、室内の蛍光灯、照明器具等の強い光源が存在するか否かを確認する。強い光源の存在が確認されなかった場合には表示面５の第１の領域５ａに表示された「ＯＫ」を操作し、強い光源の存在が確認された場合には表示面５の第１の領域５ａに表示された「戻る」又は「キャンセル」を操作する。
【０１４３】
「ＯＫ」が操作された場合には（Ｓ７）に移行し、「戻る」が操作された場合には（Ｓ５）に移行し、「キャンセル」が操作された場合には（Ｓ１）に移行する。
【０１４４】
尚、強い光源の存在が確認された場合には、使用者はこれらの強い光源の除去や強い光源からの回避を行い、「ＯＫ」を操作してもよい。
【０１４５】
（Ｓ７）画像の取込の開始をするか否かを判断する（図２０参照）。このとき表示面５の第１の領域５ａに画像の取込開始の判断を促すメッセージが表示される。
【０１４６】
画像の取込開始を行う場合には表示面５の第１の領域５ａに表示された「ＯＫ」を操作し、画像の取込開始を行わない場合には表示面５の第１の領域５ａに表示された「戻る」又は「キャンセル」を操作する。
【０１４７】
「ＯＫ」が操作された場合には（Ｓ８）に移行し、「戻る」が操作された場合には（Ｓ６）に移行し、「キャンセル」が操作された場合には（Ｓ１）に移行する。
【０１４８】
（Ｓ８）画像の取込が開始される（図２１参照）。このとき表示面５の第１の領域５ａに画像を取込中である旨のメッセージが表示される。
【０１４９】
画像の取込中には、制御部２０によって表示面５の第２の領域５ｂが取込時のバックライトの発光状態に制御される。バックライトの発光状態が安定し制御部２０によって取込可能状態になったことが検出されると、写真撮像部４による画像の取込動作が実行される。取込動作は写真１００の大きさによらず取込可能領域３ａの全範囲において行われる。
【０１５０】
画像の取込が完了すると、表示面５の第２の領域５ｂに取込が完了した画像が表示される。取り込まれた画像は取込可能領域３ａの範囲において取り込まれた大きさで表示される。
【０１５１】
（Ｓ９）画像の取込領域の設定を行う（図２２参照）。このとき表示面５の第１の領域５ａに画像の取込領域の設定を促すメッセージが表示される。
【０１５２】
画像の取込の設定は縦横一辺ずつ四辺を行う。各辺の取込領域の設定を行う毎に表示面５の第１の領域５ａに表示された「ＯＫ」を操作し、各辺の取込領域の設定を行わない場合には表示面５の第１の領域５ａに表示された「戻る」又は「キャンセル」を操作する。
【０１５３】
「ＯＫ」が操作された場合には（Ｓ１０）に移行し、「戻る」が操作された場合には（Ｓ７）に移行し、「キャンセル」が操作された場合には（Ｓ１６１）に移行する。
【０１５４】
（Ｓ１０）画像の向きの設定を行う（図２３参照）。このとき表示面５の第１の領域５ａに画像の向きの設定を促すメッセージが表示される。
【０１５５】
画像の向きの設定は、例えば、下辺となる辺を選択することにより行う。下辺となる辺の選択を実行する場合には表示面５の第１の領域５ａに表示された「ＯＫ」を操作し、下辺となる辺の選択を実行しない場合には表示面５の第１の領域５ａに表示された「戻る」又は「キャンセル」を操作する。
【０１５６】
「ＯＫ」が操作された場合には（Ｓ１１）に移行し、「戻る」が操作された場合には（Ｓ９）に移行し、「キャンセル」が操作された場合には（Ｓ１）に移行する。
【０１５７】
下辺となる辺の選択が実行されると、制御部２０によって画像の回転処理及び表示処理が行われ、選択された向きで画像が表示面５の第２の領域５ｂに表示される。
【０１５８】
（Ｓ１１）画像の保存の確認を行う（図２４参照）。このとき表示面５の第１の領域５ａに画像の保存を行うか否かのメッセージが表示される。
【０１５９】
保存を行う場合には表示面５の第１の領域５ａに表示された「ＯＫ」を操作し、保存を行わない場合には表示面５の第１の領域５ａに表示された「戻る」又は「キャンセル」を操作する。
【０１６０】
「ＯＫ」が操作された場合には（Ｓ１２）に移行し、「戻る」が操作された場合には（Ｓ１０）に移行し、「キャンセル」が操作された場合には（Ｓ１）に移行する。
【０１６１】
（Ｓ１２）画像の保存先の選択を行う（図２５参照）。このとき表示面５の第１の領域５ａに画像の保存先の選択を促すメッセージが表示される。
【０１６２】
表示面５の第１の領域５ａには、例えば、「メモリーカード」や「内蔵メモリー」等の保存先等が表示される。保存先を選択する場合には「メモリーカード」又は「内蔵メモリー」を操作し、保存先を選択しない場合には表示面５の第１の領域５ａに表示された「戻る」又は「キャンセル」を操作する。
【０１６３】
「ＯＫ」が操作された場合には（Ｓ１３）に移行し、「戻る」が操作された場合には（Ｓ１１）に移行し、「キャンセル」が操作された場合には（Ｓ１）に移行する。
【０１６４】
（Ｓ１３）画像の保存ファイル名の確認を行う（図２６参照）。このとき表示面５の第１の領域５ａに画像の保存ファイル名が表示される。
【０１６５】
保存ファイル名で保存する場合には「ＯＫ」を操作し、保存ファイル名で保存しない場合には表示面５の第１の領域５ａに表示された「戻る」又は「キャンセル」を操作する。
【０１６６】
「ＯＫ」が操作され画像の保存が周流することにより処理動作が終了し、「戻る」が操作された場合には（Ｓ１２）に移行し、「キャンセル」が操作された場合には（Ｓ１）に移行する。
【０１６７】
尚、保存したファイル名は、後の操作によって変更することが可能とされている。
【０１６８】
［まとめ］
以上に記載した通り、画像表示装置１にあっては、ベース板１０に載置された写真１００をカバー１１によって押さえて保持するため、写真１００を破損することがなく写真撮像部４によって撮影した写真１００を良好な画像として取り込むことができ、使い勝手の向上を図ることができる。
【０１６９】
また、写真保持部３と画像表示部２が画像取込モードと画像表示モードにおいて異なる位置関係になるようにされているため、画像表示部２と写真保持部３がモードに応じて必要な位置に保持され、使い勝手の向上を図ることができる。
【０１７０】
さらに、画像表示装置１にあっては、画像表示部２の表示面５が第１の領域５ａと第２の領域５ｂに分割され、第１の領域５ａがメッセージ表示領域として機能し、第２の領域５ｂが画像取込領域として機能する。
【０１７１】
従って、写真撮像部４による写真１００の撮影による画像の取込時に、第１の領域５ａに表示されるメッセージを確認することができ、画像の取込動作を迅速かつ確実に行うことができ、画像表示装置１の使い勝手の向上を図ることができる。
【０１７２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１７３】
【図１】図２乃至図２６と共に本発明の実施の形態を示すものであり、本図は、第１の実施の形態に係る画像表示装置について、写真保持部が遮蔽位置にあり写真撮像部が閉塞位置にある状態を示す概略側面図である。
【図２】第１の実施の形態に係る画像表示装置について、写真保持部が被取込位置にあり写真撮像部が撮影位置にある状態を示す概略側面図である。
【図３】第１の実施の形態に係る画像表示装置について、画像表示部の概略正面図である。
【図４】第１の実施の形態に係る画像表示装置について、画像表示部の概略背面図である。
【図５】第１の実施の形態に係る画像表示装置の概略平面図である。
【図６】第１の実施の形態に係る画像表示装置について、写真保持部が遮蔽位置に対して回動された状態を示す概略側面図である。
【図７】第１の実施の形態に係る画像表示装置について、写真保持部が被取込位置に対して回動された状態を示す概略側面図である。
【図８】第１の実施の形態に係る画像表示装置について、入射位置と被照射位置の関係を示す概略側面図である。
【図９】第２の実施の形態に係る画像表示装置について、画像表示部が画像表示位置にあり写真保持部が遮蔽位置にあり写真撮像部が閉塞位置にある状態を示す概略側面図である。
【図１０】第２の実施の形態に係る画像表示装置について、画像表示部が画像取込位置にあり写真保持部が被取込位置にあり写真撮像部が撮影位置にある状態を示す概略側面図である。
【図１１】第２の実施の形態に係る画像表示装置について、メッセージが反射部に表示されている状態を示す概略正面図である。
【図１２】第３の実施の形態に係る画像表示装置について、画像表示部が画像表示位置にあり写真保持部が遮蔽位置にあり写真撮像部が閉塞位置にある状態を示す概略斜視図である。
【図１３】第３の実施の形態に係る画像表示装置について、画像表示部が画像表示位置にあり写真保持部が遮蔽位置にあり写真撮像部が閉塞位置にある状態を示す概略側面図である。
【図１４】第３の実施の形態に係る画像表示装置について、画像表示部が画像取込位置にあり写真保持部が被取込位置にあり写真撮像部が撮影位置にある状態を示す概略側面図である。
【図１５】外部機器等と共に示す画像表示装置のブロック図である。
【図１６】画像表示装置における処理動作を示すフローチャート図である。
【図１７】図１６に引き続く画像表示装置における処理動作を示すフローチャート図である。
【図１８】図１９乃至図２６と共に処理動作における画像表示部の状態を示すものであり、本図は、画像の取込を行うときの開始時の状態を示す概念図である。
【図１９】図１８に引き続いて処理が進んだときの状態を示す概念図である。
【図２０】図１９に引き続き画像の取込を行うときの状態を示す概念図である。
【図２１】図２０に引き続き画像の取込が行われている状態を示す概念図である。
【図２２】図２１に引き続き取込領域を設定するための画面が表示されている状態を示す概念図である。
【図２３】図２２に引き続き画像の向きを設定するための画面が表示されている状態を示す概念図である。
【図２４】図２３に引き続き画像の保存を行うための画面が表示されている状態を示す概念図である。
【図２５】図２４に引き続き画像の保存先を設定するための画面が表示されている状態を示す概念図である。
【図２６】図２５に引き続き画像を保存するときのファイル名を付すための画面が表示されている状態を示す概念図である。
【符号の説明】
【０１７４】
１…画像表示装置、２…画像表示部、３…写真保持部、４…写真撮像部、５…表示面、５ａ…第１の領域、５ｂ…第２の領域、１０…ベース板、１１…カバー、１Ａ…画像表示装置、２Ａ…画像表示部、３Ａ…写真保持部、１０Ａ…ベース板、１Ｂ…画像表示装置、２Ｂ…画像表示部、３Ｂ…写真保持部、１００…写真
【図１】
2011185991.tif 000003
【図２】
2011185991.tif 000004
【図３】
2011185991.tif 000005
【図４】
2011185991.tif 000006
【図５】
2011185991.tif 000007
【図６】
2011185991.tif 000008
【図７】
2011185991.tif 000009
【図８】
2011185991.tif 000010
【図９】
2011185991.tif 000011
【図１０】
2011185991.tif 000012
【図１１】
2011185991.tif 000013
【図１２】
2011185991.tif 000014
【図１３】
2011185991.tif 000015
【図１４】
2011185991.tif 000016
【図１５】
2011185991.tif 000017
【図１６】
2011185991.tif 000018
【図１７】
2011185991.tif 000019
【図１８】
2011185991.tif 000020
【図１９】
2011185991.tif 000021
【図２０】
2011185991.tif 000022
【図２１】
2011185991.tif 000023
【図２２】
2011185991.tif 000024
【図２３】
2011185991.tif 000025
【図２４】
2011185991.tif 000026
【図２５】
2011185991.tif 000027
【図２６】
2011185991.tif 000028